(57)【特許請求の範囲】
【請求項１】
挿通孔を有するとともに板状の本体を備え、該本体の表裏両側面のうち少なくとも一方の側面に形成された収容孔内に表示部材を収容固定したことを特徴とする座金。
【請求項２】
前記表示部材は、前記本体の側面と同一平面をなすことを特徴とする請求項１に記載の座金。
【請求項３】
前記収容孔は、厚さ方向に貫通された貫通孔であることを特徴とする請求項１または２に記載の座金。
【請求項４】
前記収容孔と表示部材との間には、表示部材の脱落を防止するための脱落防止手段が設けられていることを特徴とする請求項１〜３のうちのいずれか一項に記載の座金。
【請求項５】
前記挿通孔が本体に対して偏心していることを特徴とする請求項１〜４のうちのいずれか一項に記載の座金。
【請求項６】
本体は、多角形状をなすことを特徴とする請求項１〜５のうちのいずれか一項に記載の座金。
【請求項７】
本体の外周の一部に突起が形成されていることを特徴とする請求項１〜６のうちのいずれか一項に記載の座金。
【発明の詳細な説明】
【技術分野】
【０００１】
この発明は、座金に関するものであって、例えば、レールとまくら木との間の軌間調整型床板を固定する場合等に使用される座金に関するものである。
【背景技術】
【０００２】
特許文献１には、レールとまくら木との間の軌間調整型床板を固定する場合等に使用される座金が記載されている。
この特許文献１に記載の座金は、レール支持用のタイプレートを固定するねじくぎのために用いられる。そして、前記座金として、ねじくぎの挿通孔の位置が偏心方向において異なるものが複数種類用意され、タイプレートの位置を変更して軌間調整ができるように、それらの座金のうちの適当なものが使用される。
【０００３】
そして、前記座金は、一目でその種類がわかるように、挿通孔の位置の違いを表す着色が施されている。
【特許文献１】特開２００３−３２８３０３号公報
【発明の開示】
【発明が解決しようとする課題】
【０００４】
しかしながら、前記特許文献１においては、種類識別のために座金の側面を含む表面に対して着色が施されているのみであるため、塗料が剥がれると、座金の種類の判別が困難である。つまり、挿通孔の位置の相違、つまり偏心量はごくわずかであるため、塗料が剥がれてしまうと、目視のみでは、その相違を見分けるのは難しい。特に、座金を実際にタイプレート固定のために使用してしまうと、長期間風雨のさらされることにより、塗料が剥がれ、かつ、錆が形成されたり、汚損されたりして、前述のように判別が困難になる。
【０００５】
この発明の目的は、前述した従来の問題点を解消して、塗料の剥離等にかかわらず種類を常に、かつ簡単に判別できる座金を提供することにある。
【課題を解決するための手段】
【０００６】
請求項１に記載の発明においては、挿通孔を有するとともに板状の本体を備え、該本体の表裏両側面のうち少なくとも一方の側面に形成された収容孔内に表示部材を収容固定したことを特徴とするものである。
従って、本体の表面の塗装が剥がれたり、表面がさびたりしても、表示部材により座金の種類を判別できる。特に、側面を削り取れば、表示部材が明瞭に現出し、種類判別をいっそう確実かつ簡単に行うことができる。
【０００７】
請求項２に記載の発明においては、請求項１に記載の発明において、前記表示部材は、前記本体の側面と同一平面をなすことを特徴とするものである。
従って、本体の側面を削り取ることにより、表示部材が明瞭に現出し、種類判別を適切に行うことができる。
【０００９】
請求項３に記載の発明においては、請求項１または２に記載の発明において、前記収容孔は、厚さ方向に貫通された貫通孔であることを特徴とするものである。
【００１０】
従って、座金の表裏両面から種類を判別できる。
請求項４に記載の発明においては、請求項１〜３のうちのいずれか一項に記載の発明において、前記収容孔と表示部材との間には、表示部材の脱落を防止するための脱落防止手段が設けられていることを特徴とするものである。
【００１１】
従って、座金を長期間使用しても、あるいは手荒く取り扱っても、表示部材の脱落を防止でき、種類判別を問題なく行うことができる。
請求項５に記載の発明においては、請求項１〜４のうちのいずれか一項に記載の発明において、本体の挿通孔が偏心していることを特徴とするものである。
【００１２】
従って、偏心量の異なるものを複数種類用意すれば、軌間調整等を適切に実行できる。
請求項６に記載の発明においては、請求項１〜５のうちのいずれか一項に記載の発明において、本体は、多角形状をなすことを特徴とするものである。
【００１３】
従って、座金が回るのを防止でき、座金を所要の向きに安定保持できる。
請求項７に記載の発明においては、請求項１〜６のうちのいずれか一項に記載の発明において、本体の外周の一部に突起が形成されていることを特徴とするものである。
【００１４】
従って、座金に対して装着状態において一目で理解できる方向性を持たせることができ、挿通孔が偏心している場合に都合がよい。
【発明の効果】
【００１５】
この発明によれば、本体の表面の塗装が剥がれたり、表面がさびたり、あるいは汚損したりしても、表示部材により座金の種類を判別できる。特に、座金の側面を削り取れば、表示部材が明瞭に現出し、種類判別をいっそう簡単に行うことができるという効果を発揮する。
【発明を実施するための最良の形態】
【００１６】
以下、本発明を具体化した実施形態を、図１〜図６に従って詳細に説明する。
図１及び図２に示すように、まくら木取り付け用の軌間調整型床板としてのタイプレート１１は、鉄等の金属材料から長四角板状に形成され、その上面には一対の肩部１２が形成されている。そして、これらの肩部１２の間のタイプレート１１の上面において、一本のレール１３が保持されるようになっている。さらに、このレール１３は図示しない板ばね等の弾性部材やボルト等の締付部材によってタイプレート１１の表面に固定される。
【００１７】
図２及び図３（ａ）〜（ｃ）に示すように、タイプレート１１の四隅には、凹部としての四角形状の座金収容凹部１４が形成され、これらの座金収容凹部１４には、金属材料から正四角板状に形成された座金１５が嵌脱可能に収容されている。そして、これらの座金１５の四コーナは円弧状に形成されることによって容易に嵌脱できるようになっている。
【００１８】
座金１５の本体１５ａの中央には、挿通孔１６が透設されている。座金１５は、図３に示すように、基準となる位置（本体１５ａの中心）に挿通孔１６を有する基準座金１５と、図４（ａ）（ｂ）に示すように、挿通孔１６が基準となる位置から偏心されている偏心座金１５Ａとから構成されている。偏心座金１５Ａは、偏心量が異なるものが複数種類用意されている。
【００１９】
基準座金１５及び偏心座金１５Ａの表裏の両側面には、偏心距離と、偏心に基づくタイプレート１１の変位方向の表示１７がなされている。また、基準座金１５及び各偏心座金１５Ａは、その両側面（図３（ｃ））を含む表面全体が偏心量に応じた異なった色にそれぞれ着色されている。
【００２０】
図１に示すように、各座金１５の一側面には平面円弧状をなす位置決め突起１８が突設されている。一方、各座金収容凹部１４において、レール１３の長さ方向に互いに近接する内側面には、凹所としての平面円弧状をなす位置決め凹所１９が凹設されている。そして、座金１５が座金収容凹部１４に収容される際には、位置決め突起１８が位置決め凹所１９に嵌合される。そして、偏心座金１５Ａは偏心方向が軌間方向になるように座金収容凹部１４に収容される。
【００２１】
また、座金１５は、裏返しても座金収容凹部１４に収容できる外形になっている。そして、偏心座金１５Ａは裏返して座金収容凹部１４に収容することによって、挿通孔１６の偏心方向を反対方向に向けることができるようになっている。
【００２２】
図１及び図３（ａ）に示すように、座金収容凹部１４の内底には、円孔状の挿通孔２０が透設され、図５に示す固定部材としてのねじくぎ２１が挿通可能となっている。挿通孔２０の直径は、座金１５，１５Ａの挿通孔１６の直径よりも大きくなっており、偏心座金１５Ａのうち、最も偏心量の大きい偏心座金１５Ａが座金収容凹部１４に収容された場合でも、挿通孔２０にはねじくぎ２１が挿通可能となっている。
【００２３】
一対のタイプレート１１は、四角柱状のまくら木の表面にまくら木の長さ方向に所定の間隔で敷設される。両タイプレート１１の間隔によって、タイプレート１１に固定されているレール１３間の距離、つまり軌間が設定される。
【００２４】
図５に示すように、まくら木２２には、タイプレート１１の挿通孔２０に対応して円形のねじ穴２３が凹設されている。そして、リング２８が外嵌されたねじくぎ２１が、挿通孔１６及び挿通孔２０に挿通され、ねじ穴２３に螺挿されることによって、タイプレート１１はまくら木２２に固定されている。
【００２５】
前記座金１５の両側面間には貫通孔３１が形成され、その両端部は、開口側に向かって広がるテーパ部３１ａとなっている。この貫通孔３１内には、着色された合成樹脂よりなる表示部材３２が充填されている。表示部材３２は、座金１５，１５Ａの表面の各着色と同色をなしている。
【００２６】
さて、床板のまくら木取り付け作業について説明すると、まず一対のタイプレート１１の表面にそれぞれレール１３を板ばね等の弾性部材、ボルト等の締付部材によって固定する。次に、各座金収容凹部１４に適切な座金１５または１５Ａを嵌合してまくら木２２の表面に一対のタイプレート１１を所定の間隔で敷設する。続いて、挿通孔１６に合わせてまくら木２２にねじ穴２３を凹設する。
【００２７】
次に、リング２８が外嵌されたねじくぎ２１を挿通孔１６及び挿通孔２０に挿通する。そして、ねじくぎ２１をねじ穴２３に螺挿して、タイプレート１１をまくら木２２に固定する。
【００２８】
次に、軌間調整作業について説明すると、まず、調整する寸法が例えば３ｍｍの場合、複数種の座金１５のうち、調整する寸法と偏心距離Ｌが同じである偏心座金１５Ａを準備する。このとき、偏心座金１５Ａの表裏面には、表示１７がなされているだけではなく、偏心座金１５Ａの表面に着色が施され、さらに表示部材３２が存在する。従って、複数種の座金１５を容易に識別することができ、調整する寸法に該当する偏心座金１５Ａを容易に見つけることができる。
【００２９】
続いて、座金収容凹部１４に挿通孔１６の偏心方向が調整方向と反対方向になるように偏心座金１５Ａを嵌合する。このとき、各座金１５の一側面には位置決め突起１８が突設され、これらの位置決め突起１８は位置決め凹所１９に嵌合される。このため、挿通孔１６の偏心方向が軌間方向になるように偏心座金１５Ａを座金収容凹部１４に収容することができる。このため、偏心座金１５Ａの偏心距離Ｌに応じて、タイプレート１１は調整方向に移動される。
【００３０】
このとき、偏心座金１５Ａの表裏面には、表示１７がなされ、タイプレート１１の移動方向が視認可能となっている。すなわち、このタイプレート１１の移動方向は、偏心座金１５Ａを座金収容凹部１４に嵌合する際に前もって視認することができる。従って、偏心座金１５Ａをタイプレート１１を移動させたい方向とは反対方向に嵌合してしまうといった座金１５の装着間違いを防ぐことができる。
【００３１】
次に、ねじくぎ２１を挿通孔１６及び挿通孔２０に挿通する。そして、ねじくぎ２１をねじ穴２３に螺挿して、タイプレート１１をまくら木２２に固定する。
さらに、座金１５の外形は、平面において線対称をなすように形成され、裏返しても座金収容凹部１４に収容できるようになっている。そして、偏心座金１５Ａは裏返すことによって、挿通孔１６の偏心方向を反対方向に向けることができる。従って、偏心座金１５Ａによって、軌間の両方向に調整することができる。
【００３２】
ところで、座金１５，１５Ａを長期間使用した場合等においては、その表面の着色塗料が剥離したり、表示の部分が錆びたり、汚損したりする。この場合は、座金１５，１５Ａの側面を拭いたり、研磨したりすることにより、表示部材３２を座金１５，１５Ａの表面に露呈させれば、座金１５，１５Ａの種類を簡単に判別できる。
【００３３】
従って、この実施形態は以下の効果を発揮する。
・  座金１５の本体１５ａの側面間に形成された収容孔としての貫通孔３１内に表示部材３２を収容固定したことにより、本体１５ａの表面の塗装が剥がれたり、表面がさびたり、汚損したりしても、表示部材３２により座金１５，１５Ａの種類を判別できる。特に、本体１５ａの側面を削り取れば、表示部材３２が明瞭に現出し、種類判別をいっそう簡単に行うことができる。
【００３４】
・  前記表示部材３２は、前記本体１５ａの側面と同一平面をなすため、本体１５ａの側面を削り取ることにより、表示部材３２が明瞭に現出し、種類判別を適切に行うことができる。
【００３５】
・  前記本体１５ａの側面を含む全表面には着色が施され、表示部材３２はその着色と同じ色を有するため、表示部材３２により座金１５，１５Ａの種類を誤ることなく判別できる。
【００３６】
・  前記貫通孔３１は、本体１５ａの厚さ方向に貫通された貫通孔であるため、座金１５，１５Ａの表裏両側面から種類を判別できる。
・  前記貫通孔３１と表示部材３２との間には、表示部材３２の脱落を防止するための脱落防止手段としてのテーパ部３１ａが形成されている。従って、座金１５，１５Ａを長期間使用しても、あるいは手荒く取り扱っても、表示部材３２の脱落を防止でき、種類判別を問題なく行うことができる。
【００３７】
・  座金１５，１５Ａの本体１５ａの挿通孔１６が偏心している。従って、偏心量の異なる座金１５Ａを複数種類用意すれば、軌間調整等を適切に実行できる。
・  座金１５，１５Ａの本体１５ａは、正四角状をなすため、座金１５，１５Ａの回動を防止でき、軌間調整等を安定して実行できる。
【００３８】
・  座金１５，１５Ａの本体１５ａ外周の一部に突起１８が形成されているため、座金１５，１５Ａに対して装着状態において一目で理解できる方向性を持たせることができ、挿通孔１６が偏心している場合に都合がよい。
【００３９】
なお、前記実施形態を次のように変更して具体化することも可能である。
・  座金１５，１５Ａを三角形状、５角形状、六角形状等の四角形状以外の多角形をなすように構成すること。
【００４０】
・  表示部材３２のための収容孔を座金１５，１５Ａの表裏の側面の少なくとも一方に設けた有底孔とすること。
・  表示部材３２のための収容孔の開口を偏心量に応じた異なる形状、例えば、偏心量が異なるごとに、円形，楕円形，四角形，三角形等の異なる形状にすること。このようにすれば、偏心量の認識をさらに簡単に行うことができる。
【図面の簡単な説明】
【００４１】
【図１】レールの敷設状態を示す断面図。
【図２】同じく一部平面図。
【図３】（ａ）は座金の使用状態を示す断面図、（ｂ）は一部正面図、（ｃ）は表示部材の部分における座金の断面図。
【図４】（ａ）は偏心座金の平面図、（ｂ）は偏心座金の使用状態を示す断面図。
【図５】基準座金を装着したタイプレートがまくら木に固定された状態を示す断面図。
【図６】偏心座金を装着したタイプレートがまくら木に固定された状態を示す断面図。
【符号の説明】
【００４２】
１１…タイプレート、１３…レール、１４…凹部としての座金収容凹部、１５…座金、１５ａ…本体、１５Ａ…偏心座金、１６…挿通孔、１７…表示、１８…位置決め突起、２０…挿通孔、３１…収容孔としての貫通孔、３１ａ…位置決め手段としてのテーパ部、３２…表示部材。
【図１】
0004567555.tif 000002
【図２】
0004567555.tif 000003
【図３】
0004567555.tif 000004
【図４】
0004567555.tif 000005
【図５】
0004567555.tif 000006
【図６】
0004567555.tif 000007